(57)【要約】【課題】電柱の支線用のアンカを利用して電柱のアース装置を構成できるようにする。【解決手段】電柱の支線用のアンカをアース部材としてアース装置を構成する。【選択図】      図１
2004208485.tif 000002
【特許請求の範囲】
【請求項１】
電柱の支線用のアンカをアース部材としたことを特徴とするアンカを用いるアース装置。
【請求項２】
請求項１に記載のアンカを用いるアース装置において、アース部材としてのアンカへのアース線の取付けは、アルミニウム製の端子を介して行うことを特徴とするアンカを用いるアース装置。
【請求項３】
電柱の支線用のアンカをアース部材とするときのアンカの施工方法において、
前記アンカの埋設される地中に、全体形状が棒状を呈した金属性の所定のＮ値測定工具を押圧させながら回転させてＮ値を測定する際、そのＮ値測定工具を介してそのＮ値測定工具の挿入深さに対応した接地抵抗値を測定して、そのアンカの種類及びそのアンカの埋設深さを決定することを特徴とするアンカの施工方法。
【請求項４】
電柱の支線用のアンカを地中に埋設するときのアンカの施工方法において、
前記アンカの埋設される箇所の地中を所定の地中探査装置を用いて地中埋設物の有無を探査し、地中埋設物のない箇所にそのアンカを埋設することを特徴とするアンカの施工方法。
【発明の詳細な説明】
【０００１】
【発明の属する技術分野】
本発明は、電柱の支線を指示するアンカをアース装置として用いるとともに、そのアンカの施工方法に関する。
【０００２】
【従来の技術】
本出願人は、配電線や電話線等の電柱の支線を支持するのに好適なアンカ（地中アンカ）を提案している（特許文献１〜３参照）。このアンカは、地中に埋設される鋳鉄製の支持棒の先端側に間欠的に螺旋状の掘削刃を一体的に設けて構成されている。
【０００３】
上記提案に係るアンカは、電柱の設置される地盤の性質に合わせてその大きさが選定され、また、埋設深さが決められて、支線が所定の張力（耐張力）が得られるようにしている。このため、本出願人は、使用するアンカの種類や埋設深さを決定するための資料を得るために、特願２０００−２３８７６号において、地盤の軟硬の程度を表わす指標であるＮ値を簡単に測定できるＮ値測定工具を提案している。なお、このＮ値は、ＪＩＳＡ１２１９に示されるように、外径５．１ｃｍ、内径３．５ｃｍ、長さ８１．０ｃｍの中空の測定具（サンプラー）を地中へ打ち込む際に生ずる地盤の抵抗から求められるもので、上述の測定具を質量６３．５ｋｇ（約６２２．３Ｎ）のハンマーを７５ｃｍの高さから自由落下させ、その測定具が３０ｃｍ打ち込むのに必要な打撃数Ｎから求められるものである。
【０００４】
さて、上記提案に係るＮ値測定工具は、全体形状が棒状を呈しているＮ値測定工具の本体の長手方向の一端部にそのＮ値測定工具の本体を回転させ、かつ、その長手方向の他端部を地盤に向けて押圧することのできる回転機械に着脱自在に装着される取付部を有し、その長手方向の他端側は先細りに形成されていることを特徴としている。
【０００５】
この提案に係るＮ値測定工具を図面に基づいて説明すると、図７（ａ）は、そのＮ値測定工具の本体（以下、「工具本体」という。）の正面図、（ｂ）は、その上面図である。この工具本体１は、鋼製の丸棒（図示の例では５０φの丸棒）からなる棒状体２を有し、その一端部（図示の例では上端部）には、その棒状体２の直径よりも大きな径を有するつば部３が設けられている。
【０００６】
つば部３の上部は角柱からなる取付部４に形成されている。この取付部４には、その軸心方向と直交する方向に孔４ａが設けられている。そして、この孔４ａは、取付部４が穴堀建柱車の回転部等の回転機械Ｍに挿入されたときに、図示しないピンを介して工具本体１をその回転機械Ｍに装着するために用いられる。
【０００７】
棒状体２の他端部側（図示の例では下部側）は、他端部に行くに従って細くなるように先細りに形成されていて、測定時に工具本体１が地盤Ｇに食い込みやすいように形成されている。この先細りは、工具本体１の長さが１４００ｍｍの場合、他端部（先端部）から３００ｍｍの間に形成されている。また、この先細りの部分は、焼入の加工が施されていて、耐摩耗性、耐久性が図られている。
【０００８】
図７（ａ）中、ｍ，ｍ…は、目印であって、他端部（先端部）から所定距離（図示の例では５００ｍｍ）から所定の間隔（図示の例では１００ｍｍ）を保って棒状体２の周囲に設けられている。この目印ｍは、ペイントで形成することもできるが、Ｎ値測定中に地面（地盤）にこすれて消失しやすいので、溶接の肉盛により形成するのが好ましい。
【０００９】
上記構成からなるＮ値測定工具を用いて地盤ＧのＮ値測定を行うには、先ず、穴堀建柱車の回転部等の回転機械Ｍの先端に工具本体１の取付部４が取付けられる。そして、その工具本体１の先端（先細り）を地盤Ｇの測定位置に合わせるとともに、その工具本体１をほぼ垂直状にして、所定の押圧力（例えば８００ｋｇｆ（約７８４０Ｎ））を付加して回転させ、所定の深さ（例えば５０ｃｍ）に挿入できるまでに何回転したかによりＮ値が求められる。
【００１０】
図示の形状の工具本体１の場合、その工具本体１が５０ｃｍ挿入するまでの回転数が約４回の場合は、Ｎ値は約１０と推定され、その回転数が約１０回の場合は、Ｎ値は約２５と推定される。また、工具本体１が所定の回転数、例えば、１０回転で何ｃｍ挿入したかによりＮ値を推定することもできる。例えば、１０回転で約３８ｃｍ挿入したときのＮ値は、約３０と推定され、さらに、１０回転で約２８ｃｍ挿入したときのＮ値は、約４０と推定される。このような回転数とＮ値との相関関係は、予め用意された換算表に基づいて求められる。
【００１１】
上述のＮ値測定後は、回転機械Ｍから工具本体１が外され、測定されたＮ値により選ばれたアンカがその回転機械Ｍに装着されてアンカの埋設作業が行われる。測定されたＮ値によりどのようなアンカが選択されるかについては、本出願人に係る特願２００２−４１０２８号に詳述されている。
【００１２】
【特許文献１】
特開２０００−１８５０号公報
【特許文献２】
特開２００１−５９２２１号公報
【特許文献３】
特開２００１−１８２０５８号公報
【００１３】
【発明が解決しようとする課題】
ところで、配電線や電話線の電柱の中には、接地工事を必要とするものがあり、このような電柱には、電柱の近傍に電極棒を埋設して所定の接地抵抗値となるようなアース装置が設けられる。また、１本の電極棒だけでは所定の接地抵抗値が得られないときは、所定の接地抵抗値を満たすように複数本の電極棒が所定の間隔を保って埋設されることもある。
【００１４】
このようにアース装置を必要とする電柱には、補強用の支線が設けられることが多く、したがって、このような電柱に対しては、支線装置の作業のほかに接地装置の作業が必要となるだけでなく、電柱の周囲に補強用の支線とアース線とが設けられ、電柱の囲りが煩雑になる欠点があった。
【００１５】
また、電柱に支線装置が設けられるときは、その支線装置の支線を地中において支持するアンカが埋設されるが、このアンカが既に地中に埋設されている水道管（水道水管）や下水管（下水道水管）、あるいはガス管（ガス配管）等の地中埋設物に影響を与えないように地中埋設物を避けて埋設する必要がある。このため、従来は、手掘りで地中埋設物の有無を調査するための探査作業を必要としていた。
【００１６】
そこで、本発明は、このような欠点を解決するためになされたものであって、その目的は、支線装置のアンカをアース装置とすることのできるアンカを用いるアース装置を提供するとともに、そのアンカの施工方法を提供することにある。
【００１７】
【課題を解決するための手段】
本発明に係るアンカを用いるアース装置は、上記目的を達成するために、請求項１に記載の発明は、電柱の支線用のアンカをアース部材としたことを特徴としている。
本発明の請求項２に記載のアンカを用いるアース装置は、アース部材としてのアンカへのアース線の取付けは、アルミニウム製の端子を介して行うことを特徴としている。
本発明に係るアンカの施工方法は、上記目的を達成するために、請求項３に記載の発明は、電柱の支線用のアンカをアース部材とするときのアンカの施工方法において、前記アンカの埋設される地中に、全体形状が棒状を呈した金属性の所定のＮ値測定工具を押圧させながら回転させてＮ値を測定する際、そのＮ値測定工具を介してそのＮ値測定工具の挿入深さに対応した接地抵抗値を測定して、そのアンカの種類及びそのアンカの埋設深さを決定することを特徴としている。
本発明にかかるアンカの施工方法は、上記目的を達成するために、請求項４に記載の発明は、電柱の支線用のアンカを地中に埋設するときのアンカの施工方法において、前記アンカの埋設される箇所の地中を所定の地中探査装置を用いて地中埋設物の有無を探査し、地中埋設物のない箇所にそのアンカを埋設することを特徴としている。
【００１８】
【発明の実施の形態】
以下、本発明の実施の形態を図面に基づいて説明する。図１は、一実施の形態に係るアンカを用いるアース装置の概略構成図である。図１中、イは、地中（地盤と同意義で用いられている。したがって、地盤をＧとして説明するときもある。）Ｇに立設された電柱であり、この電柱イには、地中Ｇに埋設されているアンカＡ、そのアンカＡの上端部に接続されている支線棒ロ及びその支線棒ロの先端と電柱イの上端側とを接続する支線ハにより補強されている。
【００１９】
アンカＡについては、本出願人が特開２０００−１８５０号公報、同２００１−５９２２１号公報、同２００１−１８２０５８号公報等において提案しているものである。このアンカＡは、鋳鉄製からなり、棒状の支持棒ａ１  に所定の間隔を保って複数（図示の例では４個）の螺旋状の掘削刃ａ２  ，ａ２  …を一体的に有しているので、電柱イを立設するときに用いられる穴掘建柱車の回転機構を用いて地中Ｇの任意の深さに簡単に埋設できる特長がある。なお、螺旋状の掘削刃ａ２  ，ａ２  …は、先端（図１において下端）ほどその径が小さくなるように形成されている。
【００２０】
このアンカＡを地中Ｇの所定深さに埋設するには、アンカＡの頂部に支線棒ロを取付けるとともに、その支線棒ロを内部に収納することのできる図示しない工具（嵌入パイプ）（この工具については、本出願に係る特開２００１−２７１３４５号公報に詳述されている。）をその頂部に設けられている角柱部に嵌め、その工具を図示しない穴掘建柱車の回転機構で回転させて行われる。そして、アンカＡが地中Ｇの所定深さに埋設された後、工具が外されると、図１に示されるように、地上には支線棒ロの先端部が現れる。次いで、その支線棒ロの先端に設けられているリング部ロ′（図１参照）に図示しないシンブルを介して支線ハが取付けられる。
【００２１】
上記支線棒ロは、電気絶縁性の合成樹脂膜が被覆されていて絶縁が施されている。なお、この支線棒ロの絶縁は、支線棒ロの囲りを絶縁カバーで覆って構成してもよい。
【００２２】
図１中、Ｌは、電柱イに設けられるアース装置のアース線であり、その一端側は、後述する図２に詳しく示されているように、アンカＡの上端部に接続され、その他端側は、電柱イの上端部の図示しない所定の部材、例えば、変圧器の架台等に取付けられている。
【００２３】
アース線Ｌは、地中Ｇ側においてはその地中Ｇに埋設され、また、電柱イ側においては少なくともその電柱イの地面から所定高さまでは電柱イの軸心に設けられている空間（図示せず）内に設けられる。なお、アース線Ｌは、電柱イ側において電柱イの軸心に設けられた空間内に配設されないとき、そのアース線Ｌは、電柱イの側面にバンド部材を介して設けられる。
【００２４】
図２を用いてアース線ＬのアンカＡへの取付けについて説明する。このアース線ＬのアンカＡへの取付けは、アンカＡの上端部に設けられている支線棒ロを取付けるためのアイ部Ａ′を中間にして一対のアルミニウム（アルミニウム合金を含む。）製の端子１０ａ，１０ｂを用いて行われる。これら端子１０ａ，１０ｂのうちの一方の端子１０ａには、ビス１１の螺合されるねじ孔１０ａ′を有し、他方の端子１０ｂには、ビス１１の軸部（ねじ部）が貫通することのできる孔１０ｂ′を有している。そして、これら端子１０ａ，１０ｂをビス１１で固定する際に、アース線Ｌの端部に設けられているリング部Ｌ′をビス１１に挿入して行われる。これにより、アース線ＬがアンカＡに取付けられる。
【００２５】
上述のように、アース線Ｌがアルミニウム製の端子１０ａ，１０ｂを介してアンカＡに取付けられると、これら端子１０ａ，１０ｂは、鋳鉄製のアンカＡよりも卑な金属であるので、アンカＡの腐食を効果的に防止できる特長がある。
【００２６】
上述のように、アンカＡをアース装置のアース部材とするとき、そのアース部材（アンカＡ）は、電柱イを補強するために十分な張力（耐張力）を有することが必要なだけでなく、そのアース部材が所定の接地抵抗値を有している必要がある。そこで、本発明では、アンカＡの選定を行う地盤のＮ値測定と同時にその選択されたアンカＡの接地抵抗値を予め測定してアンカＡ（アース部材）の施工が行われる。
【００２７】
図３は、Ｎ値測定及びアンカＡの接地抵抗値（Ω）の測定を行う測定方法を示す説明図である。このＮ値測定は、上記図７を用いた説明に従って行われる。このＮ値測定の際、工具本体１が所定の深さ（例えば５０ｃｍ）、地中（地盤）Ｇに挿入される毎に接地抵抗が測定される。この測定は、工具本体１とその工具本体１から十分に離れて予め十分な深さに挿入されている２本の補助電極棒２０ａ，２０ｂとの間にリード線２１，２１，２１を配線し、そのリード線２１，２１，２１に接続された抵抗計２２を介して接地抵抗値（Ω）が測定される。
【００２８】
図４は、本出願人の豊川事業所の敷地内のＮ値５〜１０と予想される普通地盤で上述の工具本体１を用いてＮ値の測定及び接地抵抗の測定を行ったときのグラフである。また、この図４のグラフには、Ｎ値測定により選定されたアンカ（上部に位置する最も大きな螺旋状の掘削刃の直径が３５０φ）のアンカの接地抵抗値も示されている。
【００２９】
この図４から明らかなように、Ｎ値は、地表から所定深さまでＮ値が高く（図４の例では、深さ１００ｃｍでＮ値は約１０）、それよりも深いところではＮ値が低く（図４の例では、Ｎ値は約５）なり、普通地盤の特徴がよく表われている。
【００３０】
この図４に示される測定地盤の工具本体１を用いた接地抵抗は、深さ１５０ｃｍよりも深いところでは７０Ω前後となり、したがって、アンカをその深さ以上埋設すれば、１００Ω以下の接地抵抗を確保できるアース部材とすることを表わしている。なお、図４のグラフから明らかなように、Ｎ値測定の工具本体１の接地抵抗の軌跡とアンカの接地抵抗の軌跡とがほぼ一致しているので、工具本体１により、アース部材を兼ねるアンカの接地抵抗を予測できることを表わしている。
【００３１】
なお、上述のようにして測定されたＮ値及び接地抵抗を示す地盤の性状から、アンカを選定し、また、その埋設深さを決定し、その選定されたアンカ（上部の最も大径の螺旋状掘削刃の直径が３５０φ）を深さ３００ｃｍ埋設したときのそのアンカの張力は、７０．７ｋＮで、電柱の支線の耐張力としては十分なものであった。
【００３２】
図５は、地中Ｇに水道管Ｐ１  及び下水管Ｐ２  の地中埋設物が埋設されているときに、これら地中埋設物（Ｐ１  ，Ｐ２  ）に接触しないように、すなわち、これら地中埋設物（Ｐ１  ，Ｐ２  ）を損傷させることなくアンカＡを埋設したときの断面図である。なお、地中埋設物としては、上述の水道管Ｐ１  や下水管Ｐ２  の他にガス管や電気配線管等の他のものも存在している。
【００３３】
従来は、電柱イの立設される周りの環境からその電柱イの周囲にどのような種類の地中埋設物が埋設されているか予想がたつので、その地中埋設物の埋設位置を確認するために地中埋設物に損傷を与えないように慎重に手掘りで探査作業が行われていたが、本発明では、このような手掘りによる探査作業を行うことなく、非掘削で地中埋設物の探査が行われる。
【００３４】
図６は、本発明に係る地中埋設物の探査作業の説明であり、ここでは、地中埋設物として地中Ｇ中にパイプＰが埋設されている例が示されている。この地中Ｇに埋設されているパイプＰは、地面Ｇ′を走査する周知の探査装置３０によって探査される。
【００３５】
この探査装置３０としては、市販の探査装置を用いることができ、例えば、発振コイルで交流の電磁場を作り、この電磁場により地中内に渦電流を誘起させて地中埋設物を探査する電磁誘導探査方式や超音波を地中に照査して地中埋設物を探査する超音波方式等の探査装置を採用することができる。
【００３６】
図示の探査装置３０は、地中Ｇに対して信号を送信する探査部３１と、検出信号を表示する表示部３２とが分離した形式のもので、探査部３１は、アンカＡを埋設しようとする地面Ｇ′上を作業員甲により走査される。なお、探査装置としては、探査部と表示部とが一体化されたものであってもよい。
【００３７】
図６中、３２ａは、上記表示部３２の表示画面であり、この表示画面３２ａには、地中Ｇ中にパイプＰ（地中埋設物）が存在するときにそのパイプＰの影像Ｐ′が表示される。この影像Ｐ′は、表示画面３２ａに深度（深さ）も表示されるので、地中Ｇのどの位の深さに埋設されているか、また、その影像Ｐの大きさからどの程度の大きさの埋設物かを推定することができる。地中埋設物（Ｐ）が探査されれば、当然にその地中埋設物（Ｐ）を避けた位置にアンカＡが埋設される（図５参照）。
【００３８】
上述のように、アンカＡの埋設に際して地中Ｇの地中埋設物を探査装置３０で探査すると、従来のような手掘りによる探査が必要でなく、アンカＡの埋設作業を大幅に短縮することができる。
【００３９】
【発明の効果】
本発明の請求項１に記載のアンカを用いるアース装置は、電柱の支線用のアンカをアース部材としたので、アンカをアース部材とすることができ、従来のようなアース用電極棒が不要となり、また、アース工事と接地工事とを一緒に行うことができる特長がある。
本発明の請求項２に記載のアンカを用いるアース装置は、アース部材としてのアンカへのアース線の取付けは、アルミニウム製の端子を介して行うので、アンカの腐食を効果的に防止することができる。
本発明の請求項３に記載のアンカの施工方法は、アンカの埋設される地中に、全体形状が棒状を呈した金属性の所定のＮ値測定工具を押圧させながら回転させてＮ値を測定する際、そのＮ値測定工具を介してそのＮ値測定工具の挿入深さに対応した接地抵抗値を測定して、そのアンカの種類及びそのアンカの埋設深さを決定するので、アンカの選定作業を行いながらそのアンカの埋設される地盤の接地抵抗に関する情報を得ることができ、アンカの選定とその選定されたアンカの埋設深さを決定して容易に施工することができる。
本発明の請求項４に記載のアンカの施工方法は、アンカの埋設される箇所の地中を所定の地中探査装置を用いて地中埋設物の有無を探査し、地中埋設物のない箇所にそのアンカを埋設するので、従来のような手掘りによる探査作業を行うことなく、地中埋設物を回避しながら容易にアンカを埋設することができる。
【図面の簡単な説明】
【図１】本発明に係るアース装置の概略構成図である。
【図２】アンカへのアース線の取付けの詳細図である。
【図３】Ｎ値測定及び接地抵抗測定の方法を示した説明図である。
【図４】接地抵抗及びＮ値の測定結果を示すグラフである。
【図５】地中に地中埋設物が存在するときのアンカの埋設を示す断面図である。
【図６】地中埋設物の探査状態を示す説明図である。
【図７】（ａ）は工具本体の正面図、（ｂ）はその上面図である。
【符号の説明】
イ  電柱
ロ  支線棒
ハ  支線
Ｌ  アース線
Ａ  アンカ
Ｇ  地中（地盤）
３０  探査装置
３１  探査部
３２  表示部
３２ａ  表示画面
Ｐ１    水道管（地中埋設物）
Ｐ２    下水管（地中埋設物）
Ｐ  パイプ（地中埋設物）
【図１】
2004208485.tif 000003
【図２】
2004208485.tif 000004
【図３】
2004208485.tif 000005
【図４】
2004208485.tif 000006
【図５】
2004208485.tif 000007
【図６】
2004208485.tif 000008
【図７】
2004208485.tif 000009